(57)【要約】      （修正有）【課題】１回の操作で湯と水を、湯が流出口側に入らないよう排出でき、メンテナンスが容易で、コストが安く、停滞水の少ない、あるいは停滞水が給湯管内に混入しないようにした湯水抜栓を提供する。【解決手段】受湯口３２からの湯を、（１）弁箱１０の最上端シリンダ１５に密着する環状パッキン２０〜２４を離脱させて弁箱１０から排水させ、受湯口３２に、パイプ２７内の湯が給湯管内に混入しないよう、逆流防止弁３６を設けたもの、（２）受湯口３２の代わりに入湯口と出湯口を設け、給湯器からの湯は常時そこを通って流れるようにし、ピストン２５にロッド３９を介して連結される受湯桿により、パイプ２７内への湯の排出を行わせるようにしたもの、（３）パイプ２７の地上部に流出口１２を設け、その上部に排湯口１４と受湯口３２を位置させ、湯は排湯口１４からパイプ２７外方に排出するようにしたもの、の３通りの方法で実現される。【選択図】図１
2004190457.tif 000002
【特許請求の範囲】
【請求項１】
流入口、流出口、排水口を有する弁箱の上端から延長されるパイプの地上部に、給湯管に接続される受湯口を位置させて設け、上記受湯口からの湯を、弁箱の最上端シリンダに密着するピストンの環状パッキンで遮断し、ピストンが移動して給水管内の水が排水口から排出したときに、上記環状パッキンが最上端シリンダから離脱して、給湯管からの湯を流出口側に混入しないよう排出させるとともに、上記受湯口あるいはその近傍に、パイプ内の湯が給湯管内に混入しないよう逆流防止弁を設けたことを特徴とする湯水抜栓。
【請求項２】
流入口、流出口、排水口を有する弁箱の上端から延長されるパイプの地上部に、給湯管に接続される入湯口と出湯口を位置させて設け、通水時は給湯管内の湯を、弁箱内に収容されるピストンにロッドを介して連結される受湯桿で遮断し、排水時は、ピストンとともに受湯桿も移動し、給湯管内の湯をパイプを通って流出口側に混入しないよう排出させることを特徴とする湯水抜栓。
【請求項３】
流入口、排水口を有する弁箱の上端から延長されるパイプの地上部に、流出口、およびその上方に排湯口、さらにその上方に給湯管に接続される受湯口を位置させて設け、弁箱内に収容されるピストンにロッドを介して連結される受湯桿で、流出口と排湯口、および受湯口と排湯口間を遮断し、排水時はピストンとともに受湯桿も移動し、給湯管内の湯を流出口側に混入しないよう、排湯口からパイプ外方に排出することを特徴とする湯水抜栓。
【発明の詳細な説明】
【０００１】
【発明の属する技術分野】
本発明は、寒冷地で水道配管の凍結防止のために使用される水抜栓に関し、特に、湯と水を１回の操作で同時に排出させるようにした湯水抜栓に関する。
【０００２】
【従来の技術】
従来、寒冷地において、凍結防止のために水まわり配管内の水だけでなく、湯回り配管内の湯も排出する場合には、例えば同一出願人による特願平８−２９４７９８号公報のように、水抜栓の下流側配管内に湯水排出弁をもうけ、水抜栓を排水状態にした後で湯水排出弁を開き、湯と水を同時に排出するようにしたものが多く使用されていた。
【０００３】
しかし上記のものにおいては、使用者が、水抜栓と湯水排出弁の２回の操作をしなければならず、面倒であり、操作方法を間違えば、湯水排出弁から水が噴き出したままになる危険性もあった。また、弁を２個使用しなければならないので、当然コストも上昇する。
【０００４】
そのため、特開平１０−１１４９７４号公報のように、水抜栓の弁箱に湯受け口を流出口と別体に設け、地中を配管して給湯器からの湯配管と接続し、水抜栓の１回の操作で、湯と水を同時に、しかも別々に排出する方法が提案されている。上述のものによれば、操作も簡単になり、操作ミスも生じないが、弁構造が複雑で、また、地中を湯配管していかなければならないため、やはりコストが高くなり、さらに、配管内の湯が長期間に亘って流動することがない、停滞水部分が多くなり、その水が給湯管内の湯に混入する恐れもあり、非衛生的である、という問題もあった。
【０００５】
【発明が解決しようとする課題】
本発明は上記課題を解決するために出願されたものであり、１回の操作で湯と水を、湯が流出口側に入らないよう排出でき、メンテナンスが容易で、コストの安い、しかも、停滞水をできるだけ少なくした、あるいは停滞水が給湯管内に混入しないようにした湯水抜栓を提供することを目的とする。
【０００６】
【課題を解決するための手段】
上記課題解決のため本発明の水抜栓は、流入口、流出口、排水口を有する弁箱の上端から延長されるパイプの地上部に、給湯管に接続される受湯口を位置させて設け、上記受湯口からの湯を、弁箱の最上端シリンダに密着するピストンの環状パッキンで遮断し、ピストンが移動して給水管内の水が排水口から排出したときに、上記環状パッキンが最上端シリンダから離脱して、給湯管からの湯を流出口側に混入しないよう排出させるとともに、上記受湯口あるいはその近傍に、パイプ内の湯が給湯管内に混入しないよう逆流防止弁を設けたことを第１の解決手段とする。
【０００７】
流入口、流出口、排水口を有する弁箱の上端から延長されるパイプの地上部に、給湯管に接続される入湯口と出湯口を位置させて設け、通水時は給湯管内の湯を、弁箱内に収容されるピストンにロッドを介して連結される受湯桿で遮断し、排水時はピストンとともに受湯桿も移動し、給湯管内の湯をパイプを通って流出口側に混入しないよう排出させることを第２の解決手段とする。
【０００８】
流入口、排水口を有する弁箱の上端から延長されるパイプの地上部に、流出口、及びその上方に排湯口、さらにその上方に給湯管に接続される受湯口を位置させて設け、弁箱内に収容されるピストンにロッドを介して連結される受湯桿で、流出口と排湯口、および受湯口と排湯口間を遮断し、排水時はピストンとともに受湯桿も移動し、給湯管内の湯を流出口側に混入しないよう、排湯口からパイプ外方に排出することを第３の解決手段とする。
【０００９】
【発明の実施の形態】
以下、図面に基づいて実施形態を詳細に説明する。図２に本発明の湯水抜栓の設置状態図の１実施例を示すが、図は湯水を床下配管している例であり、地中に埋設された引込管１に接続された湯水抜栓２から地上部に延長される給水管３はチーズ４により分岐され、１つは給湯器５に接続される。給湯器５からの給湯管６はチーズ４’により分岐され、一端が湯水抜栓２の受湯金具７に接続される。
【００１０】
実施例では、湯水抜栓２の操作用ハンドル８は床上に突出しているが、最近は、できるだけ配管を室内に露出しないようにするため、給水管３および給湯管６は床下で適宜な勾配を設けて横配管し、台所、洗面所等、必要箇所に立ち上げることが多くなってきており、水抜栓も段々床上に突出させないようになってきている。その場合の操作方法としては、床下に設置された湯水抜栓２を電動遠隔操作、機械的遠隔操作、あるいは、収容蓋を開いて床に手を入れて直接ハンドル８を操作するなど、種々の方法がある。なお、湯水抜栓２には、地中の汚水が入り込まないよう、水と湯の排出口に逆止弁９，９’を取り付けている。
【００１１】
図１に本発明の湯水抜栓２の一実施例を示しているが、弁箱１０側壁に下方から順に、流入口１１、流出口１２、水の排出口となる排水口１３、湯の排出口となる排湯口１４を設け、内部には、上から順に、最上端シリンダ１５、シリンダ１６，１７，１８，１９を形成する。排水口１３、排湯口１４には図２の逆止弁９，９’が取り付けられる。なお、以後、排水口１３と排湯口１４を一緒にしたようなものにあっては、代表して排水口１３とする。
【００１２】
弁箱１０内には、上記最上端シリンダ１５、シリンダ１６，１７，１８，１９をそれぞれ摺動する５個の環状パッキン２０，２１，２２，２３，２４を装着するピストン２５が収容されており、下端から環状パッキン２１，２２間に開口する連通孔２６を穿っている。連通孔２６は、環状パッキン２１上方に開口するようにしても良い。
【００１３】
弁箱１０はパイプ２７により地上部まで延長され、支持金具２８、ソケット２９を介してさらにパイプ２７に接続され、床上まで突出している。支持金具２８には、２本のＯリング３０，３１を介して自由に回転する、上述した受湯金具７が装着されている。
【００１４】
受湯金具７のエルボ状上端部の受湯口３２下方に下向きの弁座３３を設け、リング３４により離脱しないようにした、比重が１より小さい樹脂製の逆止ボール３５が密着して、パイプ２７内の湯が給湯管６内に混入しないよう、逆流防止弁３６を形成する。受湯口３２からの湯は、支持金具２８の側方に穿った複数個の横穴３７からパイプ２７へと流れるようになっている。なお、ピストン２５はピン３８によりロッド３９に連結され、図２のハンドル８まで延長される。
【００１５】
図は通水状態を示しており、流入口１１からの水は流出口１２、図２の給水管３を通って、給湯器５あるいはチーズ４で分岐されて台所等、他の末端器具にまで達している。給湯管６からの湯はチーズ４’で分岐され、受湯口３２側と、やはり台所等、他の末端器具にまで達している。この状態では、環状パッキン２０，２２，２４により湯水の漏水は防止されている。
【００１６】
この状態から、凍結防止のため配管内の湯水を抜きたいときには、図２のハンドル８を操作してロッド３９を上昇させるとよく、ピストン２５も上昇し、まず環状パッキン２３がシリンダ１８に密着して流入口１１からの水を遮断し、その後で環状パッキン２２がシリンダ１７から、環状パッキン２０が最上端シリンダ１５から離脱して、給水管３内の水は排水口１３、給湯管６内の湯は逆止ボール３５を押し下げ、横穴３７、パイプ２７を通って排湯口１４から、それぞれ地中に排出される。
【００１７】
排水口１３、排湯口１４には図２のように逆止弁９，９’が取り付けられているため、排出された湯水が弁箱１０，パイプ２７内に逆流することはない。また、この状態でも環状パッキン２１はシリンダ１６に密着しているため、汚染水と考えられている湯が、流出口１２側に入り込むことはないが、通水状態で環状パッキン２１をシリンダ１６から下方に離脱させておき、排水状態でシリンダ１６に密着させても良く、その分だけ弁箱１０、ピストン２５を短くできる。
【００１８】
図３に操作部分を床下に設けた湯水抜栓の実施例を排水状態で示しているが、パイプ２７上端に、図１の支持金具２８と受湯金具７を一体にした、回転しない受湯金具７を接続し、その上端に、内部に作動用雌ねじ４０を設けた操作金具４１を接続している。内部には上記作動用雌ねじ４０と螺合する作動用雄ねじ４２を有するスピンドル４３を収容し、下端部に回転自在に管吊連結された操作桿４４を介してロッド３９に連結されている。操作桿４４に環状パッキン４５を装着し、受湯金具７内部に設けたシリンダ４６を摺動するようにしている。
【００１９】
受湯金具７の内部、受湯口３２寄りに弁座３３を設け、ばね４７によりパッキン４８が弁座３３に軽く接する逆止弁体４９により、逆流防止弁３６を形成する。
なお、図１，３とも、逆流防止弁３６は必ずしも受湯口３２内に収容されている必要はなく、図２のチーズ４’あるいはチーズ４’と受湯金具７間に設けることもできる。また、スピンドル４３の上端には図２のハンドル８が取り付けられる。
【００２０】
弁箱１０は、図１の排湯口１４を省略し、湯も水も排水口１３から排出させようというものであり、そのかわりピストン２５の連通孔２６内に逆止球弁５０を収容し、パイプ２７から排水口１３へ排出される湯が、流出口１２側に侵入することを防止するようにしている。
【００２１】
すなわち、流出口１２からの水は、環状パッキン２２がシリンダ１７から下方に離脱しているため、連通口２６を通って逆止球弁５０を上昇させ、排水横穴５１から排水口１３へと排出されているが、この時、環状パッキン２０が最上端シリンダ１５から離脱しているため、湯も同時に逆止弁体４９を押し開き、パイプ２７を通って排水口１３から排出されており、もし、湯の排出勢いが水のそれに勝っているときは、逆止球弁５０を逆止弁座５２に押圧し、流出口１２側に湯は入り込まないようになっている。
【００２２】
排水終了後は、逆止球弁５０が逆止弁座５２に密着して流出口１２内に地中の汚水が入り込むことはなく、逆止弁体４９により、給湯管６側で負圧が生じても、給湯管６内に地中の汚水が入り込むことは防止されるので、場合によっては排水口１３に図２の逆止弁９を取り付けないことも可能である。本実施例のものは、図１の排湯口１４を省略できるのでそれだけコストが安く付くという利点があるが、いずれにしても、図１、図３の実施例においては、パイプ２７を通って湯が排出するという新規性のあるもので、湯を地下配管するより材料費、工事費を大幅に安くでき、地中に埋設される管が減るので、腐食による漏水が減少し、また、漏水があっても、地中を掘り起こす手間が省けるだけ、メンテナンスが容易になる。
【００２３】
図４の実施例は、図５に設置状態図を示すごとく、給湯器５からの湯を給湯管６を介して湯水抜栓２の床上に設けた入湯口５３から入れ、床下のパイプ２７に設けた出湯口５４からもう一つの給湯管６に出すようにしたものであり、停滞水を完全になくすることを目的としたものである。
【００２４】
すなわち、操作桿４４の環状パッキン４５が受湯金具７のシリンダ４６に密着し、受湯桿５５の環状パッキン５６が出湯金具５７のシリンダ５８に密着しているため、他に流出することなく、給湯器５からの湯は入湯口５３から出湯口５４を通って台所等に給湯されることになる。
【００２５】
図は通水状態を示しているが、排水状態にするときは、スピンドル４３を上昇させて、環状パッキン５６，２２をそれぞれ、シリンダ５８，１７から上方に離脱させればよく、入湯口５３、出湯口５４からの湯はパイプ２７を通って排湯口１４から、また流出口１２からの水は排水口１３からそれぞれ地中に排出される。この時環状パッキン２１がシリンダ１６に密着しているため、湯が流出口１２側に混入することはない。
【００２６】
本実施例においては、床に給湯管６を通す穴をあける必要がなく、また図１，３の逆流防止弁３６を省略できるというメリットがある。
【００２７】
図６は床下に設けた受湯金具７に、同一高さで反対向きの入湯口５３と出湯口５４を形成し、受湯桿５５に２個の環状パッキン４５，５６を装着させ、操作部を床上に突出した実施例である。環状パッキン５６がシリンダ５８から離脱している排水状態を示しているが、弁構造は図３の実施例のものから環状パッキン２０と最上端シリンダ１５を省略しているだけなので、説明は省略する。本実施例においては、床に給湯管６が立ち下がる穴をあけなければならないが、図４のものに比して、受湯金具７と出湯金具５７を一体化できるので、構造がそれだけ単純になる。また、構造は複雑になるが、入湯口５３と出湯口５４を床下に段差を設け、配管し易いよう、向きをお互いに自由に変えるようにすることもできる。いずれにしても、図４の実施例のものと同様に、停滞水を完全になくすことができる。
【００２８】
図７の実施例は、図８の設置状態図に示すごとく、流出口１２を弁箱１０でなく、床下のパイプ２７途中に設けたものであり、弁箱１０は側方に、流入口１１、排水口１３、バイパス路５９を設け、内部に、上から順に４個のシリンダ１６，１７，１８，１９を形成している。ピストン２５には、上記シリンダをそれぞれ摺動する４個の環状パッキン２１，２２，２３，２４を装着している。
【００２９】
パイプ２７の途中に接続される支持金具２８には、流出口１２とその上方に排湯口１４を、受湯金具７には受湯口３２を排湯口１４の上方に位置するよう形成し、排湯口１４からの湯を、弁箱１０の上端に置かれた底蓋６０に支持される、樹脂製の外パイプ６１に排出するようにしている。
【００３０】
図は通水状態を示しており、流入口１１からの水は環状パッキン２１，２２，２４，６２により、受湯口３２からの湯は環状パッキン４５，５６により他所へのリークが防止されている。
【００３１】
この状態から受湯桿５５およびピストン２５を上昇させると、まず環状パッキン２３がシリンダ１８に密着して流入口１１からの水を遮断し、その後で環状パッキン５６，２１，２２がシリンダ５８，１６，１７から離脱して、流出口１２からの水は排水口１３を通り、入湯口３２からの湯は排湯口１４、外パイプ６１、底蓋５８の排出穴６３通って、それぞれ地中に排出される。この時、環状パッキン６２はシリンダ６４に密着したままなので、やはり湯が流出口１２側に混入することはない。
【００３２】
本実施例によれば、地中に埋設される給水管を省略できるので、コストが安くなり、設置工事も容易になる他、パイプ２７は樹脂製の外パイプ６１により土壌に接触しないため、腐食による漏水事故を防止できる効果がある。また、外パイプ６１は、万一水抜きを忘れて凍結させたとき、湯を注いで解凍するために使用することもできる。
【００３３】
図９に示す実施例は、図７の外パイプ６１を省略し、排湯口１４先端部にホース等を接続し、台所や洗面所等の排水管に導くようにしたものである。弁箱１０は上方に流入口１１を、下方に排水口１３を設け、内部には、上から順に３個のシリンダ１８，１９，１７を形成し、ピストン２５には上記シリンダ１８，１９，１７をそれぞれ摺動する３個の環状パッキン２３，２４，２２を装着する。
【００３４】
図は排水状態を示しており、流出口１２からの水は、パイプ２７，ピストン２５の連通孔２６を通って排水口１３から地中に、また受湯口３２からの湯は排湯口１４からパイプ２７外方へ、それぞれ排出されている。この時も環状パッキン６２がシリンダ６４に密着しているので、湯が流出口１２側に混入しないのは同じである。本実施例においては、図７のものよりも弁構造が簡単であり、外パイプ６１、底蓋６０を省略できるなど、コストを安くすることが可能になる。
【００３５】
本発明湯水抜栓の弁構造および操作機構は上述したもの以外にも種々のものが考えられ、弁座を有するもの、作動用ネジを使用せず、カム機構を用いて操作を簡単にしたもの等、自由に設計変更可能である。
【００３６】
【発明の効果】
以上のように本発明においては、１回の操作で湯と水を排出させることができ、操作ミスにより、水を漏水させてしまうという事故も生ぜず、弁構造も簡単にでき、余分な地中配管をすることもないので、腐食等の事故を減少でき、メンテナンスが容易で、コストが安くつき、停滞水も少ない、あるいは停滞水が給湯管に混入する恐れがないので衛生的である、という効果を有する。
【図面の簡単な説明】
【図１】本発明湯水抜栓の第１の解決手段の１実施例を示す、通水常態における縦断面図である。
【図２】図１における湯水抜栓の設置状態図である。
【図３】本発明湯水抜栓の第１の解決手段の他の実施例を示す、排水状態における縦断面図である。
【図４】本発明湯水抜栓の第２の解決手段の１実施例を示す、通水状態における縦断面図である。
【図５】図４の湯水抜栓の設置状態図である。
【図６】本発明湯水抜栓の第２の解決手段の他の実施例を示す、排水状態における縦断面図である。
【図７】本発明湯水抜栓の第３の解決手段の１実施例を示す、通水状態における縦断面図である。
【図８】図７の湯水抜栓の設置状態図である。
【図９】本発明湯水抜栓の第３の解決手段の他の実施例を示す、排水状態における縦断面図である。
【符号の説明】
２              湯水抜栓
３              給水管
６              給湯管
１０              弁箱
１１              流入口
１２              流出口
１３              排水口
１４              排湯口
１５              最上端シリンダ
２０〜２４      環状パッキン
２５              ピストン
２７              パイプ
３２              受湯口
３６              逆流防止弁
３９              ロッド
４５，５６，６２  環状パッキン
５３              入湯口
５４              出湯口
５５              受湯桿
【図１】
2004190457.tif 000003
【図２】
2004190457.tif 000004
【図３】
2004190457.tif 000005
【図４】
2004190457.tif 000006
【図５】
2004190457.tif 000007
【図６】
2004190457.tif 000008
【図７】
2004190457.tif 000009
【図８】
2004190457.tif 000010
【図９】
2004190457.tif 000011